(57)【特許請求の範囲】
【請求項１】
コネクタハウジングに備えられた防水栓収容室に防水栓を配設し、前記コネクタハウジングと、該コネクタハウジングに装着されるリヤホルダとの係合によって、電線と前記コネクタハウジングとの間を防水する防水コネクタであって、
前記防水栓が、円筒形状の第１のシール部と、スカート形状の第２のシール部と、電線引き出し孔とを備え、
前記コネクタハウジングが、前記第２のシール部を収容するリブ収容溝を備え、
前記リヤホルダが、前記第１のシール部の外周リップ部と密着当接することで防水機能を発揮する外周密着部と、前記第２のシール部をリブ収容溝の内壁に押圧することで防水機能を発揮する圧接部とから成る筒部を備えていることを特徴とする防水コネクタ。
【請求項２】
請求項１記載の防水コネクタであって、リブ収容溝の内壁と密着当接するリップ部を前記第２のシール部に備えたことを特徴とする防水コネクタ。
【発明の詳細な説明】
【０００１】
【発明の属する技術分野】
本発明は、コネクタハウジングに装着されるリヤホルダによって防水栓をコネクタハウジングに押圧して防水機能を発揮する防水コネクタに関する。
【０００２】
【従来の技術】
この種の防水コネクタとして、特開２００１−１５２０５号公報で提案されている防水コネクタは、各電線の端子ごとに端子収容室とゴム栓収容室を備え、ここにゴム栓を圧入することで、各電線とコネクタハウジングとの気密性を保持して、個室防水を実現し、さらに各ゴム栓を１つにまとめて一体型のゴム栓とすることにより、組み付け作業性を向上させている。
【０００３】
【発明が解決しようとする課題】
しかしながら、上記防水コネクタは、長期間の使用によるゴム栓の経年劣化でゴム栓が収縮し、各端子収容室とゴム栓との間に隙間が生じて防水性能が低下する。
【０００４】
そのため、ゴム栓の収縮による防水性能の低下の対策として、円筒形状のゴム栓をリヤホルダの係合方向に長くしたり、ゴム栓の円筒部を厚くすることで、ゴム栓の潰し代を大きくして、気密性を保持する方法が考えられるが、この方法では端子挿入性に影響が生じ、最悪の状態では端子の挿入が不可能になるという問題や、コネクタの結合作業時にゴム栓を傷つけてしまい、防水性能が低下するという問題があった。
【０００５】
そこで、本発明は、端子挿入性に影響を与えることなく、長期間の使用にも耐えうる防水性能を持つ防水コネクタを提供することを目的とする。
【０００６】
【課題を解決するための手段】
請求項１記載の発明は、上記課題を解決するため、コネクタハウジングに備えられた防水栓収容室に防水栓を配設し、前記コネクタハウジングと、該コネクタハウジングに装着されるリヤホルダとの係合によって、電線と前記コネクタハウジングとの間を防水する防水コネクタであって、前記防水栓が円筒形状の第１のシール部とスカート形状の第２のシール部と電線引き出し孔とを備え、前記コネクタハウジングが前記第２のシール部を収容するリブ収容溝を備え、前記リヤホルダが前記第１のシール部の外周リップ部と密着当接することで防水機能を発揮する外周密着部と前記第２のシール部をリブ収容溝の内壁に押圧することで防水機能を発揮する圧接部とから成る筒部を備えていることを要旨とする防水コネクタである。
【０００７】
この防水コネクタでは、防水栓にスカート形状の第２のシール部を設けることで、リヤホルダの挿入方向に潰し代が付加され、経年変化による防水栓の収縮量よりも、リヤホルダをコネクタハウジングに装着した際の防水栓の潰し代を大きくすることで気密性を保持することができ、長期間の使用に対しても浸水を防止する。
【０００８】
請求項２記載の発明は、上記課題を解決するため、請求項１記載の防水コネクタであって、リブ収容溝の内壁と密着当接するリップ部を前記第２のシール部に備えたことを要旨とする。
【０００９】
この防水コネクタでは、リップ部を第２のシール部に設けることで、リヤホルダをコネクタハウジングに装着した際の防水栓とコネクタハウジングとの間の密着度が向上する。
【００１０】
【発明の実施の形態】
次に図面を参照して本発明の実施形態を詳細に説明する。
【００１１】
図１〜３に本発明に係る防水コネクタの一実施形態を示し、図１はコネクタハウジング２０に端子を挿入し、リヤホルダが本係止状態にある防水コネクタの要部断面図、図２はリヤホルダが仮係止状態にある防水コネクタの要部断面図、図３はリヤホルダが仮係止状態にある防水コネクタの要部断面斜視図である。
【００１２】
また、図４は本実施形態に用いられる防水栓の断面斜視図である。
【００１３】
図１〜３は、一対のコネクタハウジングからなる防水コネクタの一方のコネクタハウジング２０を示した図で、相手側のコネクタハウジング（不図示）と結合することで、電線端末の端子３１同士の電気的結合がなされる。
【００１４】
図１〜３に示すように、本実施例の防水コネクタ１０は、インナ２０ａとアウタ２０ｂとからなるコネクタハウジング２０を備え、インナ２０ａに設けられた防水栓収容室２５に嵌合される防水栓６０と、インナ２０ａと係合して防水栓６０とインナ２０ａとを密着当接させるリヤホルダ７０と、インナ２０ａに装着されて相手側のコネクタハウジングとインナ２０ａとの間の気密性を保持するパッキン３４と、インナ２０ａに装着されてパッキン３４を固定するスペーサ５０からなっている。
【００１５】
インナ２０ａは、図示されていない相手側のコネクタハウジングを挿入する差込口２１と、端子３１を備えた電線３０を挿入するための電線引き出し孔２２と、相手側のコネクタハウジングとコネクタハウジング２０とを係合する爪２３と、相手側のコネクタハウジングと、コネクタハウジング２０との合わせ面を密閉するパッキン３４を備える筒部２４と、防水栓６０と、リヤホルダ７０とを収容する防水栓収容室２５と、リブ収容溝２６とを備えている。
【００１６】
防水栓６０は、円筒形状の第１のシール部６１と、スカート形状の第２のシール部６２と、電線引き出し孔６３と、第１のシール部６１の外周面に設けられた外周リップ部６４と、第１のシール部の内周面に設けられた内周リップ部６５と、第１のシール部６１の端面６６と、第２のシール部６２のスカート部分であるリブ部６７と、リブ部６７の外周面に設けられたリップ部６８と、リブ部６７の端面６９とからなる。なお、防水栓６０の詳細な形状を図４に示す。
【００１７】
リヤホルダ７０は、図示されていない係止部でインナ２０ａと係合する本体部分７１と、防水栓６０の第１のシール部６１を囲む形状の筒部７２と、電線引き出し孔７３と、筒部７２の底部７４と、防水栓６０の外周リップ部６４と圧接密着する外周密着部７５と、筒部７２の圧接部７６と、シール部収容室７７とを備えている。
【００１８】
図２に示すように、シール部収容室７７の内径は、第１のシール部６１の直径よりも小さくできており、合成ゴムやエラストマなどの弾性体からなる防水栓６０の第１のシール部６１を弾性変形させて、リヤホルダ７０の外周密着部７５と防水栓６０の外周リップ部６４とを密着させることで、防水機能を発揮する。同様にして、リブ収容溝２６の幅は、防水栓のリブ部６７の厚さよりも小さくできているため、リブ部６７を弾性変形させてリブ収容溝２６と密着させて、防水機能を発揮させる。
【００１９】
また、リヤホルダ７０をインナ２０ａに係合させることで、防水栓６０の第２のシール部６２にリヤホルダ７０の圧接部７６を密着させて、リヤホルダ７０と防水栓６０との気密性、およびリブ部６７の端面６９とリブ収容溝２６とを密着させて、インナ２０ａと防水栓６０との気密性を高めている。さらに、第２のシール部６２にリブ部６７を付加することで、リヤホルダ７０の係合時に、第２のシール部の潰し代が大きくできるため、長期間に及ぶ防水コネクタの使用に対しても防水栓６０の収縮を最小限に抑えて、防水性能の低下を抑えることが可能になる。
【００２０】
なお、以上説明した実施形態は、本発明の理解を容易にするために記載されたものであって、本発明を限定するものではない。したがって、上記の実施形態に示された各要素は、本発明の技術範囲に属する全ての設計上の選択事項をも含む趣旨である。
【００２１】
たとえば、本実施形態では、複数の電線を１列に配設しているが、この電線の列を２段、３段と重ねて、より多くの電線を１つのコネクタに収容することも可能である。また、本実施形態では、第１のシール部６１の端部にスカート形状の第２のシール部６２を配設しているが、第１のシール部６１の中央付近に配設しても構わない。
【００２２】
つまり、リヤホルダ７０をインナ２０ａに係合することで、スカート形状の第２のシール部６２が、インナ２０ａと、リヤホルダ７０とに密着して、気密性を保持するように設計されていれば、上記実施形態に何ら限定されるものではない。
【００２３】
なお、本実施形態では、防水コネクタの一方のコネクタハウジングについて示したが、相手側のコネクタハウジングにも同様の防水栓を設けることで、本来の防水機能を発揮する。
【００２４】
【発明の効果】
請求項１記載の発明によれば、スカート形状の第２のシール部を防水栓に設けることで、コネクタハウジングの嵌合作業に影響を与えることなく、防水コネクタの気密性を向上させ、さらに経年変化による防水栓の収縮量よりも、リヤホルダ係止時の防水栓の潰し代を大きくすることで、長期間の使用に対しても気密性を保持し、防水性能を発揮することができるという効果を奏する。
【００２５】
請求項２記載の発明によれば、請求項１の効果に加えて、スカート形状の第２のシール部にリブ部を設けることで、リブ収容溝の内壁との密着度が向上するという効果を奏する。
【図面の簡単な説明】
【図１】本発明に係る防水コネクタの一実施形態を示す、リヤホルダが本係止状態にある防水コネクタの要部断面図である。
【図２】本発明に係る防水コネクタの一実施形態を示す、リヤホルダが仮係止状態にある防水コネクタの要部断面図である。
【図３】本発明に係る防水コネクタの一実施形態を示す、リヤホルダが仮係止状態にある防水コネクタの要部断面斜視図である。
【図４】本発明に係る防水コネクタの一実施形態を示す、本実施形態に用いられる防水栓の断面斜視図である。
【符号の説明】
１０  防水コネクタ
２０  コネクタハウジング
２５  防水栓収容室
２６  リブ収容溝
３０  電線
６０  防水栓
６１  第１のシール部
６２  第２のシール部
６３  電線引き出し孔
６４  外周リップ部
６８  リップ部
７０  リヤホルダ
７２  筒部
７５  外周密着部
７６  圧接部
【図１】
0003842060.tif 000002
【図２】
0003842060.tif 000003
【図３】
0003842060.tif 000004
【図４】
0003842060.tif 000005